【手続補正書】
【提出日】平成27年5月28日(2015.5.28)
【手続補正１】
【補正対象書類名】明細書
【補正対象項目名】００１１
【補正方法】変更
【補正の内容】
【００１１】
そのために本発明は、複数のノズルが所定の方向に配列されてなる、複数のノズル列を、前記複数のノズルよりインクを吐出させながら、記録媒体に対して前記所定の方向と交差する方向に移動させることにより記録走査を実行する記録手段と、前記記録手段による前記記録走査と交互に行われ、設定された記録モードに基づいた搬送量だけ前記記録媒体を前記記録走査の方向と交差する方向に搬送する搬送動作、を実行する搬送手段と、前記複数のノズル列についての、前記記録媒体の前記所定の方向における中央の領域への記録のために使用するノズルで構成される使用ノズル領域を、（ｉ）当該使用ノズル領域のそれぞれは対応する前記ノズル列の一部であって、（ｉｉ）当該使用ノズル領域のそれぞれは前記所定の方向に互いにずれており、（ｉｉｉ）当該使用ノズル領域間の前記所定の方向における重複領域の長さは、前記搬送手段による搬送動作の搬送量の整数倍であるように、前記設定された記録モードに従って設定する設定手段とを備え、前記記録手段は、前記設定手段が設定した使用ノズル領域を用いて前記記録媒体に画像を記録することを特徴とする。
【手続補正２】
【補正対象書類名】特許請求の範囲
【補正対象項目名】全文
【補正方法】変更
【補正の内容】
【特許請求の範囲】
【請求項１】
複数のノズルが所定の方向に配列されてなる、複数のノズル列を、前記複数のノズルよりインクを吐出させながら、記録媒体に対して前記所定の方向と交差する方向に移動させることにより記録走査を実行する記録手段と、
前記記録手段による前記記録走査と交互に行われ、設定された記録モードに基づいた搬送量だけ前記記録媒体を前記記録走査の方向と交差する方向に搬送する搬送動作、を実行する搬送手段と、
前記複数のノズル列についての、前記記録媒体の前記所定の方向における中央の領域への記録のために使用するノズルで構成される使用ノズル領域を、
（ｉ）当該使用ノズル領域のそれぞれは対応する前記ノズル列の一部であって、
（ｉｉ）当該使用ノズル領域のそれぞれは前記所定の方向に互いにずれており、
（ｉｉｉ）当該使用ノズル領域間の前記所定の方向における重複領域の長さは、前記搬送手段による搬送動作の搬送量の整数倍である
ように、前記設定された記録モードに従って設定する設定手段と
を備え、
前記記録手段は、前記設定手段が設定した使用ノズル領域を用いて前記記録媒体に画像を記録することを特徴とするインクジェット記録装置。
【請求項２】
前記記録媒体における前記所定の方向の記録位置を調整するための補正値を、前記複数のノズル列ごとに取得する取得手段を更に備え、
前記設定手段は、前記設定された記録モードと、前記取得手段によって取得された前記補正値に従って、前記複数のノズル列の前記使用ノズル領域間の前記所定の方向における重複領域の長さが前記搬送手段による搬送動作の搬送量の整数倍となるように、前記使用ノズル領域を前記複数のノズル列ごとに設定することを特徴とする請求項１に記載のインクジェット記録装置。
【請求項３】
前記搬送手段による搬送動作の搬送量が互いに異なる複数の記録モードの中から１つを選択することにより、記録モードを設定するモード設定手段を更に備えることを特徴とする請求項１または２に記載のインクジェット記録装置。
【請求項４】
前記複数のノズル列における前記使用ノズル領域間のずれ量は、前記搬送手段による搬送動作の搬送量の整数倍であることを特徴とする請求項１ないし３のいずれか１項に記載のインクジェット記録装置。
【請求項５】
前記モード設定手段が第１の記録モードを設定した場合、前記設定手段は、
（ｉ）前記使用ノズル領域のそれぞれは対応する前記ノズル列の一部であって、
（ｉｉ）前記使用ノズル領域のそれぞれは前記所定の方向に互いにずれており、
（ｉｉｉ）前記使用ノズル領域間の前記所定の方向における重複領域の長さは、前記搬送手段による搬送動作の搬送量の整数倍である
ように、前記使用ノズル領域を前記複数のノズル列ごとに設定し、
前記モード設定手段が第２の記録モードを設定した場合、前記設定手段は、前記複数のノズル列のそれぞれに対し、ノズル列の全体を前記使用ノズル領域として設定することを特徴とする請求項３に記載のインクジェット記録装置。
【請求項６】
前記モード設定手段が第１の記録モードを設定した場合、前記設定手段は、前記複数のノズル列における前記使用ノズル間のずれ量が前記搬送手段による搬送動作の搬送量の整数倍になるように、前記使用ノズル領域を前記複数のノズル列ごとに設定することを特徴とする請求項３に記載のインクジェット記録装置。
【請求項７】
前記モード設定手段が前記第１の記録モードを設定した場合、前記搬送手段は第１の搬送量にて前記搬送動作を実行し、
前記モード設定手段が前記第２の記録モードを設定した場合、前記搬送手段は前記第１の搬送量よりも大きい第２の搬送量にて前記搬送動作を実行することを特徴とする請求項５に記載のインクジェット記録装置。
【請求項８】
前記記録手段は、前記記録媒体の単位領域に対し所定回数の前記記録走査を実行することにより画像を記録し、
前記モード設定手段が前記第１の記録モードを設定した場合に設定される前記所定回数は、前記モード設定手段が前記第２の記録モードを設定した場合に設定される前記所定回数よりも小さいことを特徴とする請求項５に記載のインクジェット記録装置。
【請求項９】
前記搬送手段は、前記搬送の方向における前記記録媒体の先端領域に対する記録のための前記搬送動作の前記搬送量を、前記記録媒体の前記中央の領域に対する記録のための前記搬送動作の前記搬送量よりも小さくなるように設定することを特徴とする請求項１ないし８のいずれか１項に記載のインクジェット記録装置。
【請求項１０】
前記搬送手段は、前記搬送の方向における前記記録媒体の後端領域に対する記録のための前記搬送動作の前記搬送量を前記記録媒体の前記中央の領域に対する記録のための前記搬送動作の前記搬送量よりも小さくなるように設定することを特徴とする請求項１ないし９のいずれか１項に記載のインクジェット記録装置。
【請求項１１】
前記複数のノズル列は互いに異なるインクを吐出する３つのノズル列を含み、
前記設定手段は、前記３つのノズル列の前記使用ノズル領域のそれぞれが、対応するノズル列の一部であって、前記所定の方向に互いにずれており、且つ前記３つのノズル列の前記使用ノズル領域間の前記所定の方向における前記重複領域の長さが前記搬送手段による搬送動作の搬送量の整数倍であるように、前記３つのノズル列ごとに前記使用ノズル領域を設定することを特徴とする請求項１ないし１０のいずれか１項に記載のインクジェット記録装置。
【請求項１２】
複数のノズルが所定の方向に配列されてなる、複数のノズル列を、前記複数のノズルよりインクを吐出させながら、記録媒体に対して前記所定の方向と交差する方向に移動させることにより記録走査を実行する記録工程と、
前記記録工程による前記記録走査と交互に行われ、設定された記録モードに基づいた搬送量だけ前記記録媒体を前記記録走査の方向と交差する方向に搬送する搬送動作、を実行する搬送工程と、
前記複数のノズル列についての、前記記録媒体の前記所定の方向における中央の領域への記録のために使用するノズルで構成される使用ノズル領域を、
（ｉ）当該使用ノズル領域のそれぞれは対応する前記ノズル列の一部であって、
（ｉｉ）当該使用ノズル領域のそれぞれは前記所定の方向に互いにずれており、
（ｉｉｉ）当該使用ノズル領域間の前記所定の方向における重複領域の長さは、前記搬送工程による搬送動作の搬送量の整数倍である
ように、前記設定された記録モードに従って設定する設定工程と
を有し、
前記記録工程は、前記設定工程が設定した使用ノズル領域を用いて前記記録媒体に画像を記録することを特徴とするインクジェット記録方法。
【請求項１３】
前記記録媒体における前記所定の方向の記録位置を調整するための補正値を、前記複数のノズル列ごとに取得する取得工程を更に有し、
前記設定工程は、前記設定された記録モードと、前記取得工程によって取得された前記補正値に従って、前記複数のノズル列の前記使用ノズル領域間の前記所定の方向における重複領域の長さが前記搬送工程による搬送動作の搬送量の整数倍となるように、前記使用ノズル領域を前記複数のノズル列ごとに設定することを特徴とする請求項１２に記載のインクジェット記録方法。
【請求項１４】
前記搬送工程による搬送動作の搬送量が互いに異なる複数の記録モードの中から１つを選択することにより、記録モードを設定するモード設定工程を更に有することを特徴とする請求項１２または１３に記載のインクジェット記録方法。
【請求項１５】
前記複数のノズル列における前記使用ノズル領域間のずれ量は、前記搬送工程による搬送動作の搬送量の整数倍であることを特徴とする請求項１２ないし１４のいずれか１項に記載のインクジェット記録方法。
【請求項１６】
前記モード設定工程が第１の記録モードを設定した場合、前記設定工程は、
（ｉ）前記使用ノズル領域のそれぞれは対応する前記ノズル列の一部であって、
（ｉｉ）前記使用ノズル領域のそれぞれは前記所定の方向に互いにずれており、
（ｉｉｉ）前記使用ノズル領域間の前記所定の方向における重複領域の長さは、前記搬送工程による搬送動作の搬送量の整数倍である
ように、前記使用ノズル領域を前記複数のノズル列ごとに設定し、
前記モード設定工程が第２の記録モードを設定した場合、前記設定工程は、前記複数のノズル列のそれぞれに対し、ノズル列の全体を前記使用ノズル領域として設定することを特徴とする請求項１４に記載のインクジェット記録方法。